(57)【特許請求の範囲】
【請求項１】
鉄道車両に搭載される自動放送装置であって、
前記鉄道車両の外部で放送用コンテンツ情報を無線送信する１つ以上の通信装置との無線通信を介して、前記放送用コンテンツ情報を取得する取得手段と、
取得した放送用コンテンツ情報を、前記鉄道車両内に設けられた情報再生装置に送信する送信手段と、
を備える自動放送装置。
【請求項２】
複数の通信装置が設けられている場合であって、前記複数の通信装置のうち何れかの通信装置から前記放送用コンテンツ情報を取得した後に前記複数の通信装置のうち何れかの通信装置から前記放送用コンテンツ情報を取得した場合に、取得した放送用コンテンツ情報の更新を行う更新手段を備える、請求項１に記載の自動放送装置。
【請求項３】
前記送信手段は、所定の操作入力に基づいて、取得した放送用コンテンツ情報を前記情報再生装置に送信する、請求項１又は２に記載の自動放送装置。
【請求項４】
取得した放送用コンテンツ情報を提示する提示手段を備える、請求項１〜３の何れかに記載の自動放送装置。
【請求項５】
前記通信装置は、前記鉄道車両が走行する軌道の駅に設けられている、請求項１〜４の何れかに記載の自動放送装置。
【発明の詳細な説明】
【技術分野】
【０００１】
本発明は、鉄道車両に搭載される自動放送装置に関する。
【背景技術】
【０００２】
近年、鉄道車両においては、例えばＬＣＤ（Liquid Cristal Display）モニタ等の表示装置を車両の扉付近に備え、この表示装置を用いて、運行状況や広告等の各種コンテンツ情報を乗客に提供するものが知られている。ここで、各種コンテンツ情報を提供する場合には、例えば、予め用意してある案内用の音声テープを再生して放送したり、予めプログラムされている音声信号を放送したり、予め用意されている文字列を表示する技術が用いられている。
【０００３】
例えば、特許文献１には、地上側で作成した支援データをＩＣカード等の記憶媒体に記憶させ、当該記憶媒体に記憶された支援データを車両内の車上装置に入力し、当該車上装置で支援データを読み出すことにより、運転支援や案内放送等を行う技術が開示されている。
【先行技術文献】
【特許文献】
【０００４】
【特許文献１】特開平５−１０５０８１号公報
【発明の概要】
【発明が解決しようとする課題】
【０００５】
しかしながら、特許文献１に記載された技術では、鉄道車両の走行開始前に取り込んだコンテンツ情報を放送する構成であるため、鉄道車両の走行以後に生成された最新のコンテンツ情報を取り込むことができず、走行中の鉄道車両に乗車している乗務員や乗客向けの最新のコンテンツ情報をリアルタイムに提供することができない。
【０００６】
また、特許文献１に記載された技術では、予め用意したコンテンツ情報を車上装置に入力するようになっているので、例えば、放送されるコンテンツ情報が頻繁に変更される場合には、コンテンツ情報が変更される毎に最新のコンテンツ情報を車上装置に入力するという煩雑な作業が必要となることから、鉄道車両内でコンテンツ情報を容易に放送することが困難になる虞があった。
【０００７】
本発明は上記課題に鑑みてなされたものであり、鉄道車両内でコンテンツ情報を容易に放送することの可能な自動放送装置を提供することを目的とする。
【課題を解決するための手段】
【０００８】
上記課題を解決するために、本発明は、鉄道車両に搭載される自動放送装置であって、前記鉄道車両の外部で放送用コンテンツ情報を無線送信する１つ以上の通信装置との無線通信を介して、前記放送用コンテンツ情報を取得する取得手段と、取得した放送用コンテンツ情報を、前記鉄道車両内に設けられた情報再生装置に送信する送信手段と、を備える自動放送装置を提供する（発明１）。
【０００９】
かかる発明（発明１）によれば、通信装置から放送用コンテンツ情報を取得すると、取得した放送用コンテンツ情報が情報再生装置で再生されるので、例えば、予め用意した放送用コンテンツ情報を、鉄道車両に搭載された装置に入力するという作業が不要になる。これにより、鉄道車両内でコンテンツ情報を容易に放送することができる。
【００１０】
上記発明（発明１）においては、複数の通信装置が設けられている場合であって、前記複数の通信装置のうち何れかの通信装置から前記放送用コンテンツ情報を取得した後に前記複数の通信装置のうち何れかの通信装置から前記放送用コンテンツ情報を取得した場合に、取得した放送用コンテンツ情報の更新を行う更新手段を備えることが好ましい（発明２）。
【００１１】
かかる発明（発明２）によれば、放送用コンテンツ情報を取得した後に放送用コンテンツ情報を新たに取得した場合に放送用コンテンツ情報の内容が更新されるので、最新の放送用コンテンツ情報を乗客等に提供することができる。
【００１２】
上記発明（発明１〜２）においては、前記送信手段は、所定の操作入力に基づいて、取得した放送用コンテンツ情報を前記情報再生装置に送信することが好ましい（発明３）。
【００１３】
かかる発明（発明３）によれば、例えば自動放送装置が鉄道車両の乗務員室に設けられている場合には、乗務員が操作入力を行ったタイミングで放送用コンテンツ情報が乗客等に提供されるので、放送用コンテンツ情報を提供するタイミングの自由度を向上させることができる。
【００１４】
上記発明（発明１〜３）においては、取得した放送用コンテンツ情報を提示する提示手段を備えることが好ましい（発明４）。
【００１５】
かかる発明（発明４）によれば、通信装置から取得した放送用コンテンツ情報が提示されるので、例えば自動放送装置が鉄道車両の乗務員室に設けられている場合には、鉄道車両で放送される放送用コンテンツ情報の内容を乗務員が確認することができる。
【００１６】
上記発明（発明１〜４）においては、前記通信装置は、前記鉄道車両が走行する軌道の駅に設けられていることが好ましい（発明５）。
【００１７】
かかる発明（発明５）によれば、鉄道車両が駅で停車したときに放送用コンテンツ情報を取得することが可能になるので、例えば、鉄道車両が駅に停車する毎に最新のコンテンツ情報を放送することが可能になる。
【発明の効果】
【００１８】
本発明の自動放送装置によれば、鉄道車両内でコンテンツ情報を容易に放送することができる。このため、例えば鉄道における乗客案内サービスに好適に利用することができる。
【図面の簡単な説明】
【００１９】
【図１】本発明の一実施形態に係る自動放送装置を含む自動放送システムの基本構成を概略的に示す図である。
【図２】自動放送装置の構成を示すブロック図である。
【図３】自動放送装置で主要な役割を果たす機能を説明するための機能ブロック図である。
【図４】放送用コンテンツデータベースの構成例を示す図である。
【図５】本発明の一実施形態に係る自動放送装置の主要な処理の一例を示すフローチャートである。
【発明を実施するための形態】
【００２０】
以下、本発明の一実施形態について添付図面を参照して詳細に説明する。ただし、この実施形態は例示であり、本発明はこれに限定されるものではない。
【００２１】
（１）自動放送システムの基本構成
図１は、本発明の一実施形態に係る自動放送装置を含む自動放送システムの基本構成を概略的に示す図である。図１に示すように、この自動放送システムは、例えばインターネットやＬＡＮ(Local Area Network)等の通信網ＮＷ（ネットワーク）に接続されている管理サーバ１０と、通信網ＮＷを介して管理サーバ１０と通信可能に接続されている１つ以上の通信装置２０と、鉄道車両（例えば乗務員室）に搭載される自動放送装置３０と、鉄道車両に設けられた１つ以上の情報再生装置４０（例えば、ＬＣＤモニタやスピーカ等）と、によって構成されている。
【００２２】
この自動放送システムにおいて、管理サーバ１０は、鉄道車両に乗車している乗務員や乗客向けの放送用コンテンツ情報を蓄積し、例えば、放送用コンテンツを新たに蓄積する毎に、新たに蓄積した放送用コンテンツ情報を、通信網ＮＷを介して通信装置２０に送信するように構成されている。ここで、放送用コンテンツ情報には、例えば、鉄道車両の運行状況（例えば、遅延状況や事故情報等）、駅の案内情報（例えば、次の停車駅や乗り換えホームの案内等）、ニュース、業務連絡、天気予報、企業広告等のコンテンツデータが含まれ得る。また、コンテンツデータは、テキスト情報であってもよいし、音声情報であってもよいし、画像情報であってもよいし、これらの組み合わせであってもよい。なお、管理サーバ１０は、汎用のサーバコンピュータであってもよいし、汎用のパーソナルコンピュータであってもよい。
【００２３】
通信装置２０は、鉄道車両の外部において、管理サーバ１０から受信した放送用コンテンツ情報を無線送信するように構成されている。また、通信装置２０は、自動放送装置３０が無線通信可能な範囲内に位置する場合に、例えば無線ＬＡＮ（例えばＷｉ−Ｆｉ（登録商標））を用いて自動放送装置３０と無線通信を行うことにより、放送用コンテンツを自動放送装置３０に送信する。なお、ここでは、無線ＬＡＮを用いて無線通信を行う場合を一例として説明しているが、この場合に限られない。例えば、Ｂｌｕｅｔｏｏｔｈ（登録商標）、ＺｉｇＢｅｅ（登録商標）、ＵＷＢ、光無線通信（例えば赤外線）等の無線通信方式が用いられてもよい。
【００２４】
また、通信装置２０は、鉄道車両が走行する軌道上に位置している状態で自動放送装置３０と無線通信可能であれば任意の位置に配置され得るが、例えば、鉄道車両が走行する軌道の駅に設けられてもよい。この場合、鉄道車両が駅で停車したときに放送用コンテンツ情報を取得することが可能になるので、例えば、鉄道車両が駅に停車する毎に最新のコンテンツ情報を放送することが可能になる。
【００２５】
情報再生装置４０は、例えば鉄道車両の扉や天井付近等に設けられており、自動放送装置３０と有線又は無線で通信可能に構成されている。また、情報再生装置４０は、自動放送装置３０から送信された放送用コンテンツ情報を受信すると、受信した放送用コンテンツ情報を再生するように構成されている。
【００２６】
（２）自動放送装置の構成
図２を参照して自動放送装置３０について説明する。図２は、自動放送装置３０の内部構成を示すブロック図である。図２に示すように、自動放送装置３０は、ＣＰＵ（Central Processing Unit）３１と、ＲＯＭ（Read Only Memory）３２と、ＲＡＭ（Random Access Memory）３３と、ＨＤＤ（Hard Disk Drive）３４と、表示処理部３５と、表示部３６と、入力部３７と、通信インタフェース部３８とを備えており、各部間の制御信号又はデータ信号を伝送するためのバス３９が設けられている。
【００２７】
ＣＰＵ３１は、電源が自動放送装置３０に投入されると、ＲＯＭ３２又はＨＤＤ３４に記憶された各種のプログラムをＲＡＭ３３にロードして実行する。ＣＰＵ３１は、通信装置２０から送信された信号を、通信インタフェース部３８を介して受信し、その信号を解釈する。また、ＣＰＵ３１は、ＲＯＭ３２、ＲＡＭ３３又はＨＤＤ３４に記憶されているデータを、通信インタフェース部３８を介して情報再生装置４０に送信する。なお、本実施形態では、ＣＰＵ３１は、ＲＯＭ３２又はＨＤＤ３４に記憶されたプログラムを読み出して実行することにより、後述する取得手段５１、更新手段５２、提示手段５３及び送信手段５４（図３に示す）の機能を実現する。
【００２８】
ＨＤＤ３４は不揮発性記憶装置であり、ＣＰＵ３１が実行するプログラムやＣＰＵ３１が参照するデータを格納する。また、ＨＤＤ３４には、後述する放送用コンテンツデータベース（図４に示す）が記憶されていてもよい。
【００２９】
表示処理部３５は、ＣＰＵ２１から与えられる表示用データを、表示部３６に表示する。表示部３６は、例えば、マトリクス状に画素単位で配置された薄膜トランジスタを含むＬＣＤ（Liquid Cristal Display）モニタであり、表示用データに基づいて薄膜トランジスタを駆動することで、表示されるデータを表示画面に表示する。
【００３０】
自動放送装置３０が釦入力方式の装置である場合には、入力部３７は、ユーザの操作入力を受け入れるための方向指示釦及び決定釦等の複数の指示入力釦を含む釦群と、テンキー等の複数の指示入力釦を含む釦群とを備え、各釦の押下（操作）入力を認識してＣＰＵ３１へ出力するためのインタフェース回路を含む。
【００３１】
自動放送装置３０がタッチパネル入力方式の装置である場合には、入力部３７は、主として表示画面に指先又はペンで触れることによるタッチパネル方式の入力を受け付ける。タッチパネル入力方式は、静電容量方式等の公知の方式でよい。
【００３２】
通信インタフェース部３８は、通信装置２０との間で無線通信方式を用いた通信を行うためのインタフェース回路と、情報再生装置４０との間で無線又は有線通信方式を用いた通信を行うためのインタフェース回路と、を含む。
【００３３】
（３）自動放送装置における各機能の概要
本実施形態の自動放送装置３０で実現される機能について、図３を参照して説明する。図３は、本実施形態の自動放送装置３０で主要な役割を果たす機能を説明するための機能ブロック図である。図３の機能ブロック図では、取得手段５１及び送信手段５４が本発明の主要な構成に対応している。他の手段（更新手段５２及び提示手段５３）は必ずしも必須の構成ではないが、本発明をさらに好ましくするための構成要素である。
【００３４】
なお、ここでは、鉄道車両が走行する軌道の各駅に１つの通信装置２０が設けられており、鉄道車両が各駅に停車している場合に、自動放送装置３０が、停車駅に設けられた通信装置２０と無線通信可能である場合を想定して説明する。
【００３５】
取得手段５１は、鉄道車両の外部で放送用コンテンツ情報を無線送信する１つ以上の通信装置２０との無線通信を介して、放送用コンテンツ情報を取得する機能を備える。
【００３６】
取得手段５１の機能は、例えば以下のように実現される。自動放送装置３０のＣＰＵ３１は、鉄道車両が駅に停車している場合に、通信装置２０から送信された放送用コンテンツ情報を通信インタフェース部３８を介して受信（取得）すると、受信した放送用コンテンツ情報を例えば図４に示す放送用コンテンツデータベースに記憶する。放送用コンテンツデータベースは、コンテンツＩＤ（図の例では、Ｃ０１，Ｃ０２，…）ごとに、コンテンツサブＩＤ（図の例では、Ｃ０１−１，Ｃ０１−２，…，Ｃ０２−１，Ｃ０２−２，…）と、当該コンテンツサブＩＤに対応する放送用コンテンツの放送期間及びコンテンツデータが記述されているデータである。ここで、同一のコンテンツＩＤに対応付けられるコンテンツデータは、放送期間が同一の期間（図の例では、２０１５年１１月１日〜２０１５年１２月３１日、又は、２０１６年１月１日〜２０１６年２月２９日）内に設定されているコンテンツデータであってよい。また、複数のコンテンツＩＤ間では、対応する放送期間が重複しないように設定されてもよい。さらに、ＣＰＵ３１は、例えば、１つのコンテンツＩＤ（例えばＣ０１）に対応する全てのコンテンツサブＩＤ、放送期間及びコンテンツデータを放送用コンテンツ情報として取得してもよいし、１つ以上のコンテンツサブＩＤ（例えばＣ０１−１）に対応する放送期間及びコンテンツデータを放送用コンテンツ情報として取得してもよい。
【００３７】
更新手段５２は、複数の通信装置２０が設けられている場合であって、複数の通信装置２０のうち何れかの通信装置２０から放送用コンテンツ情報を取得した後に複数の通信装置２０のうち何れかの通信装置２０から放送用コンテンツ情報を取得した場合に、取得した放送用コンテンツ情報の更新を行う機能を備える。これにより、放送用コンテンツ情報を取得した後に放送用コンテンツ情報を新たに取得した場合に放送用コンテンツ情報の内容が更新されるので、最新の放送用コンテンツ情報を乗客等に提供することができる。
【００３８】
なお、事前に取得された放送用コンテンツ情報を送信した通信装置２０は、新たに取得された放送用コンテンツ情報を送信した通信装置２０と同一であってもよいし、異なっていてもよい。
【００３９】
更新手段５２の機能は、例えば以下のように実現される。自動放送装置３０のＣＰＵ３１は、取得手段５１の機能に基づいて放送用コンテンツ情報を取得する毎に、ＨＤＤ３４内の放送用コンテンツデータベースにアクセスして、放送用コンテンツ情報の更新を行う。例えば、ＣＰＵ３１は、放送用コンテンツデータベースに記憶されているコンテンツＩＤと同一のコンテンツＩＤを有する放送用コンテンツ情報を新たに取得した場合に、当該コンテンツＩＤに対応する全ての情報を、新たに取得した情報で上書きすることによって、放送用コンテンツ情報の更新を行ってもよい。また、ＣＰＵ３１は、放送用コンテンツデータベースに記憶されているコンテンツサブＩＤと同一のコンテンツサブＩＤを有する放送用コンテンツ情報を新たに取得した場合に、当該コンテンツサブＩＤに対応する全ての情報を、新たに取得した情報で上書きすることによって、放送用コンテンツ情報の更新を行ってもよい。さらに、ＣＰＵ３１は、所定時間（例えば１時間）が経過する毎に放送用コンテンツデータベースにアクセスして、放送用コンテンツデータベースに記憶されている放送用コンテンツ情報のうち放送期間の終期を経過した放送用コンテンツを消去してもよい。
【００４０】
提示手段５３は、取得した放送用コンテンツ情報を提示する機能を備える。これにより、通信装置２０から取得した放送用コンテンツ情報が提示されるので、例えば自動放送装置３０が鉄道車両の乗務員室に設けられている場合には、鉄道車両で放送される放送用コンテンツ情報の内容を乗務員が確認することができる。
【００４１】
提示手段５３の機能は、例えば以下のように実現される。自動放送装置３０のＣＰＵ３１は、取得手段５１の機能に基づいて放送用コンテンツ情報を取得すると、ＨＤＤ３４内の放送用コンテンツデータベースにアクセスして、アクセスしたタイミングが放送期間内である放送用コンテンツ情報を抽出する。そして、ＣＰＵ３１は、例えば放送用コンテンツ情報がテキスト情報及び／又は画像情報である場合には、放送用コンテンツ情報を表示部３６に表示させるように表示処理部３５を制御してもよい。また、ＣＰＵ３１は、例えば放送用コンテンツ情報が音声情報である場合には、放送用コンテンツ情報を、例えば自動放送装置３０に設けられた音声出力装置（例えばスピーカ等）から出力させてもよい。さらに、ＣＰＵ３１は、例えば入力部３７を用いた操作入力（例えば所定の釦が押下された等）が行われる毎に、放送用コンテンツ情報を例えばコンテンツサブＩＤごとに切り替えて提示してもよい。
【００４２】
また、ＣＰＵ３１は、更新手段５２の機能に基づいて放送用コンテンツ情報を更新した場合には、更新後の放送用コンテンツ情報を提示してもよい。
【００４３】
送信手段５４は、取得した放送用コンテンツ情報を、鉄道車両内に設けられた情報再生装置４０に送信する機能を備える。
【００４４】
また、送信手段５４は、所定の操作入力に基づいて、取得した放送用コンテンツ情報を情報再生装置４０に送信してもよい。ここで、例えば自動放送装置３０が鉄道車両の乗務員室に設けられている場合には、乗務員が操作入力を行ったタイミングで放送用コンテンツ情報が乗客等に提供されるので、放送用コンテンツ情報を提供するタイミングの自由度を向上させることができる。
【００４５】
送信手段５４の機能は、例えば以下のように実現される。なお、ここでは、送信手段５４が、所定の操作入力に基づいて、取得した放送用コンテンツ情報を情報再生装置４０に送信する場合を一例として説明する。自動放送装置３０のＣＰＵ３１は、入力部３７を用いた操作入力（例えば所定の釦が押下された等）が行われたことを認識すると、ＨＤＤ３４内の放送用コンテンツデータベースにアクセスして、アクセスしたタイミングが放送期間内である放送用コンテンツ情報を抽出し、抽出した放送用コンテンツ情報を、通信インタフェース部３８を介して情報再生装置４０に送信する。また、ＣＰＵ３１は、例えば入力部３７を用いた操作入力（例えば所定の釦が押下された等）が行われる毎に、抽出される放送用コンテンツ情報を例えばコンテンツサブＩＤごとに切り替えてもよい。
【００４６】
（４）本実施形態の自動放送装置の主要な処理のフロー
次に、本実施形態の自動放送装置３０により行われる主要な処理のフローの一例について、図５のフローチャートを参照して説明する。
【００４７】
先ず、自動放送装置３０のＣＰＵ３１は、通信装置２０との間で通信可能であるか否かを判別し（ステップＳ１００）、通信可能である場合に（ステップＳ１００：ＹＥＳ）、通信装置２０から放送用コンテンツ情報を取得する（ステップＳ１０２）。具体的に説明すると、ＣＰＵ３１は、通信装置２０から送信された放送用コンテンツ情報を通信インタフェース部３８を介して受信（取得）すると、受信した放送用コンテンツ情報を例えば放送用コンテンツデータベースに記憶する。なお、ＣＰＵ３１は、通信装置２０との間で通信ができない場合には（ステップＳ１００：ＮＯ）、ステップＳ１００の判別処理を継続してもよい。
【００４８】
次に、自動放送装置３０のＣＰＵ３１は、複数の通信装置２０が設けられている場合であって、複数の通信装置２０のうち何れかの通信装置２０から放送用コンテンツ情報を取得した後に複数の通信装置２０のうち何れかの通信装置２０から放送用コンテンツ情報を取得した場合に、取得した放送用コンテンツ情報の更新を行う（ステップＳ１０４）。具体的に説明すると、ＣＰＵ３１は、放送用コンテンツデータベースに記憶されているコンテンツＩＤと同一のコンテンツＩＤを有する放送用コンテンツ情報を新たに取得した場合に、当該コンテンツＩＤに対応する全ての情報を、新たに取得した情報で上書きすることによって、放送用コンテンツ情報の更新を行ってもよい。また、ＣＰＵ３１は、放送用コンテンツデータベースに記憶されているコンテンツサブＩＤと同一のコンテンツサブＩＤを有する放送用コンテンツ情報を新たに取得した場合に、当該コンテンツサブＩＤに対応する全ての情報を、新たに取得した情報で上書きすることによって、放送用コンテンツ情報の更新を行ってもよい。
【００４９】
次いで、自動放送装置３０のＣＰＵ３１は、取得した放送用コンテンツ情報を提示する（ステップＳ１０６）。具体的には、ＣＰＵ３１は、ＨＤＤ３４内の放送用コンテンツデータベースにアクセスして、アクセスしたタイミングが放送期間内である放送用コンテンツ情報を抽出する。そして、ＣＰＵ３１は、例えば放送用コンテンツ情報がテキスト情報及び／又は画像情報である場合には、放送用コンテンツ情報を表示部３６に表示させるように表示処理部３５を制御してもよい。また、ＣＰＵ３１は、例えば放送用コンテンツ情報が音声情報である場合には、放送用コンテンツ情報を、例えば自動放送装置３０に設けられた音声出力装置（例えばスピーカ等）から出力させてもよい。さらに、ＣＰＵ３１は、例えば入力部３７を用いた操作入力（例えば所定の釦が押下された等）が行われる毎に、放送用コンテンツ情報を例えばコンテンツサブＩＤごとに順次切り替えて提示してもよい。
【００５０】
そして、自動放送装置３０のＣＰＵ３１は、入力部３７を用いた所定の操作入力（例えば所定の釦が押下された等）が行われた場合に（ステップＳ１０８：ＹＥＳ）、取得した放送用コンテンツ情報を、鉄道車両内に設けられた情報再生装置４０に送信する（ステップＳ１１０）。具体的には、ＣＰＵ３１は、ＨＤＤ３４内の放送用コンテンツデータベースにアクセスして、アクセスしたタイミングが放送期間内である放送用コンテンツ情報を抽出し、抽出した放送用コンテンツ情報を、通信インタフェース部３８を介して情報再生装置４０に送信する。ここで、抽出される放送用コンテンツ情報は、例えばコンテンツサブＩＤごとに順次切り替えられてもよい。なお、ＣＰＵ３１は、所定の操作入力が行われない場合には（ステップＳ１０８：ＮＯ）、ステップＳ１０８の判別処理を継続してもよい。
【００５１】
また、ＣＰＵ３１は、所定の情報（例えば、同一のコンテンツＩＤに対応付けられている放送用コンテンツ情報）が全て情報再生装置４０に送信されている場合に（ステップＳ１１２：ＹＥＳ）、処理を終了してもよい。一方、ＣＰＵ３１は、所定の情報の全てが情報再生装置４０に送信されていない場合（ステップＳ１１２：ＮＯ）、ステップＳ１０６の処理に移行してもよい。
【００５２】
上述したように、本実施形態の自動放送装置３０によれば、通信装置２０から放送用コンテンツ情報を取得すると、取得した放送用コンテンツ情報が情報再生装置４０で再生されるので、例えば、予め用意した放送用コンテンツ情報を、鉄道車両に搭載された装置に入力するという作業が不要になる。これにより、鉄道車両内でコンテンツ情報を容易に放送することができる。
【００５３】
以上説明した実施形態は、本発明の理解を容易にするために記載されたものであって、本発明を限定するために記載されたものではない。したがって、上記実施形態に開示された各要素は、本発明の技術的範囲に属する全ての設計変更や均等物をも含む趣旨である。
【００５４】
例えば、上述した実施形態では、送信手段５４が、所定の操作入力に基づいて、取得した放送用コンテンツ情報を情報再生装置４０に送信する場合を一例として説明したが、例えば、送信手段５４は、操作入力の有無に関係なく、自動的（例えば、放送用コンテンツ情報を取得してから所定時間経過後等）に放送用コンテンツ情報を情報再生装置４０に送信してもよい。この場合においても、鉄道車両内でコンテンツ情報を容易に放送することができる。
【産業上の利用可能性】
【００５５】
上述したような本発明の自動放送装置は、鉄道車両内でコンテンツ情報を容易に放送することができ、例えば鉄道における乗客案内サービスに好適に利用することができるので、その産業上の利用可能性は極めて大きい。
【符号の説明】
【００５６】
２０…通信装置
３０…自動放送装置
４０…情報再生装置
５１…取得手段
５２…更新手段
５３…提示手段
５４…送信手段
【図１】
0006694278.tif 000002
【図２】
0006694278.tif 000003
【図３】
0006694278.tif 000004
【図４】
0006694278.tif 000005
【図５】
0006694278.tif 000006